(57)【要約】【課題】補正駆動パルスを極力使用しないようにして省電力化を図ること。【解決手段】ステッピングモータを主駆動パルスＰ１によって回転駆動したとき、誘起信号の最大値である回転検出信号Ｖｍａｘのレベルが第１基準電圧Ｖｃｏｍｐ１と第２基準電圧Ｖｃｏｍｐ２間の場合に補正駆動パルスＰ２による駆動を行うことなく、主駆動パルスＰ１をランクアップし、回転検出信号Ｖｍａｘのレベルが第１基準電圧Ｖｃｏｍｐ１を超えた場合には主駆動パルスＰ１をランクダウンし、回転検出信号Ｖｍａｘのレベルが第２基準電圧Ｖｃｏｍｐ２を超えない場合には非回転と判断して補正駆動パルスＰ２による駆動を行った後、主駆動パルスＰ１をランクアップする。【選択図】  図３
2008202998.tif 000002
【特許請求の範囲】
【請求項１】
ステッピングモータの回転によって発生する誘起信号を検出し、前記誘起信号が所定の基準値を超えたか否かを検出する検出手段と、前記検出手段による検出結果に応じて、相互にエネルギの相違する複数の主駆動パルスのいずれか又は、前記各主駆動パルスよりもエネルギの大きい補正駆動パルスによって前記ステッピングモータを駆動する制御手段とを備え、
前記基準値として、第１基準値と、前記第１基準値よりも低レベルの第２基準値とを設け、
前記検出手段が、前記いずれかの主駆動パルスによって前記ステッピングモータを駆動した際に発生した前記誘起信号の最大値が前記第１基準値以下で、第２基準値を超える間のレベルにあると検出したとき、前記制御手段は、前記補正駆パルスによって駆動することなく、該主駆動パルスよりもエネルギの大きい主駆動パルスに変更して前記ステッピングモータを駆動することを特徴とするステッピングモータ駆動回路。
【請求項２】
前記検出手段が、前記主駆動パルスによって前記ステッピングモータを駆動した際に発生した前記誘起信号の最大値が前記第１基準値以下で、第２基準値を超える間のレベルにあると検出したとき、前記制御手段は、該主駆動パルスよりも１ランクエネルギの大きい主駆動パルスに変更して前記ステッピングモータを駆動することを特徴とする請求項１記載のステッピングモータ駆動回路。
【請求項３】
前記検出手段が、前記主駆動パルスによって前記ステッピングモータを駆動した際に発生した前記誘起信号の最大値が前記第１基準値を超えたと検出したとき、前記制御手段は、前記主駆動パルスよりもエネルギの小さい主駆動パルスに変更して前記ステッピングモータを駆動することを特徴とする請求項１又は２記載のステッピングモータ駆動回路。
【請求項４】
前記検出手段が、前記主駆動パルスによって前記ステッピングモータを駆動した際に発生した前記誘起信号の最大値が前記第１基準値を超えたと検出したとき、前記制御手段は、前記主駆動パルスよりも１ランクエネルギの小さい主駆動パルスに変更して前記ステッピングモータを駆動することを特徴とする請求項３記載のステッピングモータ駆動回路。
【請求項５】
前記検出手段が、前記主駆動パルスによって前記ステッピングモータを駆動した際に発生した前記誘起信号の最大値が前記第２基準値を超えないと検出したとき、前記制御手段は、前記補正駆動パルスにて前記ステッピングモータを駆動した後、前記主駆動パルスよりもエネルギの大きい主駆動パルスに変更して駆動することを特徴とする請求項１乃至４のいずれか一に記載のステッピングモータ駆動回路。
【請求項６】
前記検出手段は、前記誘起信号が前記第１基準値を超えたか否かを検出する第１検出手段と、前記誘起信号が前記第２基準値を超えたか否かを検出する第２検出手段とを備え、
前記制御手段は、前記第１、第２検出手段の検出結果に基づいて、前記いずれかの駆動パルスを選択し駆動することを特徴とする請求項１乃至５のいずれか一に記載のステッピングモータ駆動回路。
【請求項７】
時刻針を回転駆動するステッピングモータと、前記ステッピングモータを制御するステッピングモータ駆動回路とを有するアナログ電子時計において、前記ステッピングモータ駆動回路として、請求項１乃至６のいずれか一に記載のステッピングモータ駆動回路を用いたことを特徴とするアナログ電子時計。
【発明の詳細な説明】
【技術分野】
【０００１】
本発明は、ステッピングモータ駆動回路及び前記ステッピングモータ駆動回路を用いたアナログ電子時計に関する。
【背景技術】
【０００２】
従来から、ロータ収容孔及びロータの停止位置を決める位置決め部を有するステータと、前記ロータ収容孔内に配設されたロータと、コイルとを有し、前記コイルに交番信号を供給して前記ステータに磁束を発生させることによって前記ロータを回転させると共に、前記位置決め部に対応する位置に前記ロータを停止するようにしたステッピングモータがアナログ電子時計等に使用されている。
【０００３】
前記ステッピングモータの駆動方式として、ステッピングモータを主駆動パルスによって駆動した際に、前記ステッピングモータに生じる誘起電圧に基づいた回転検出信号を検出することによって回転したか否かを検出し、検出結果に応じて、パルス幅の異なる主駆動パルスに変更して駆動する、あるいは、主駆動パルスよりもパルス幅の大きい補正駆動パルスによって強制的に回転させる補正駆動方式が使用されている。
【０００４】
例えば、特許文献１に開示されたステップモータ駆動装置では、ロータの回転状態を誘起電圧に基づいて検出する機構において、駆動エネルギー小の駆動パルス幅では誘起電圧検出用基準電圧値Ｖｃｏｍｐを高く設定し、駆動エネルギー大の駆動パルス幅では基準電圧Ｖｃｏｍｐを低く設定することで、回転しているが、自由振動の小さな駆動エネルギー大の駆動パルス幅でも回転検出を可能としている。
【０００５】
しかしながら、カレンダ送りなど負荷が掛かった時にはロータの回転速度が低下するため、回転検出に用いている誘起電圧Ｖｒｓが低下し、基準電圧値Vｃｏｍｐを下回る場合が発生する。
したがって、前記回転検出機能では、ロータは非回転であったと判定され、補正駆動パルスＰ２による駆動と主駆動パルスのランクアップの動作が行われる。また、ロータは正常に回転しているがカレンダ送り負荷の増減が誘起電圧をばらつかせる。ロータが正常に回転しているにもかかわらず、回転状態と非回転状態が存在すると回転検出し、補正駆動パルスＰ２出力とランクアップの動作が行われるため消費電力が増えてしまうという問題がある。
【０００６】
【特許文献１】特開昭５７−１０６３９７号広報（第２頁右下欄第５行〜第４頁左下欄第１６行、図３〜図９）
【発明の開示】
【発明が解決しようとする課題】
【０００７】
本発明は、前記問題点に鑑み成されたもので、補正駆動パルスを極力使用しないようにして省電力化を図ることを課題としている。
【課題を解決するための手段】
【０００８】
本発明によれば、ステッピングモータの回転によって発生する誘起信号を検出し、前記誘起信号が所定の基準値を超えたか否かを検出する検出手段と、前記検出手段による検出結果に応じて、相互にエネルギの相違する複数の主駆動パルスのいずれか又は、前記各主駆動パルスよりもエネルギの大きい補正駆動パルスによって前記ステッピングモータを駆動する制御手段とを備え、前記基準値として、第１基準値と、前記第１基準値よりも低レベルの第２基準値とを設け、前記検出手段が、前記いずれかの主駆動パルスによって前記ステッピングモータを駆動した際に発生した前記誘起信号の最大値が前記第１基準値以下で、第２基準値を超える間のレベルにあると検出したとき、前記制御手段は、前記補正駆パルスによって駆動することなく、該主駆動パルスよりもエネルギの大きい主駆動パルスに変更して前記ステッピングモータを駆動することを特徴とするステッピングモータ駆動回路が提供される。
検出手段が、いずれかの主駆動パルスによってステッピングモータを駆動した際に発生した誘起信号の最大値が第１基準値以下で、第２基準値を超える間のレベルにあると検出したとき、記制御手段は、該主駆動パルスよりもエネルギの大きい主駆動パルスに変更して前記ステッピングモータを駆動する。
【０００９】
ここで、前記検出手段が、前記主駆動パルスによって前記ステッピングモータを駆動した際に発生した前記誘起信号の最大値が前記第１基準値以下で、第２基準値を超える間のレベルにあると検出したとき、前記制御手段は、該主駆動パルスよりも１ランクエネルギの大きい主駆動パルスに変更して前記ステッピングモータを駆動するように構成してもよい。
また、前記検出手段が、前記主駆動パルスによって前記ステッピングモータを駆動した際に発生した前記誘起信号の最大値が前記第１基準値を超えたと検出したとき、前記制御手段は、前記主駆動パルスよりもエネルギの小さい主駆動パルスに変更して前記ステッピングモータを駆動するように構成してもよい。
【００１０】
また、前記検出手段が、前記主駆動パルスによって前記ステッピングモータを駆動した際に発生した前記誘起信号の最大値が前記第１基準値を超えたと検出したとき、前記制御手段は、前記主駆動パルスよりも１ランクエネルギの小さい主駆動パルスに変更して前記ステッピングモータを駆動するように構成してもよい。
また、前記検出手段が、前記主駆動パルスによって前記ステッピングモータを駆動した際に発生した前記誘起信号の最大値が前記第２基準値を超えないと検出したとき、前記制御手段は、前記補正駆動パルスにて前記ステッピングモータを駆動した後、前記主駆動パルスよりもエネルギの大きい主駆動パルスにて駆動するように構成してもよい。
【００１１】
また、前記検出手段は、前記誘起信号が前記第１基準値を超えたか否かを検出する第１検出手段と、前記誘起信号が前記第２基準値を超えたか否かを検出する第２検出手段とを備え、前記制御手段は、前記第１、第２検出手段の検出結果に基づいて、前記いずれかの駆動パルスを選択し駆動するように構成してもよい。
また、時刻針を回転駆動するステッピングモータと、前記ステッピングモータを制御するステッピングモータ駆動回路とを有するアナログ電子時計において、前記ステッピングモータ駆動回路として、前記いずれか一に記載のステッピングモータ駆動回路を用いたことを特徴とするアナログ電子時計が提供される。
【発明の効果】
【００１２】
本発明に係るモータ駆動回路によれば、補正駆動パルスを極力使用しないようにして省電力化を図ることが可能になる。
また、本発明に係るアナログ電子時計によれば、補正駆動パルスを極力使用しないようにして省電力化を図ることが可能になる。
【発明を実施するための最良の形態】
【００１３】
図１は、本発明の実施の形態に係るアナログ電子時計のブロック図で、アナログ電子腕時計の例を示している。
図１において、アナログ電子時計は、所定周波数の信号を発生する発振回路１０１、発振回路１０１で発生した信号を分周して計時の基準となる時計信号を発生する分周回路１０２、電子時計を構成する各電子回路要素の制御や駆動パルスの変更制御等の制御を行う制御回路１０３、制御回路１０３からの制御信号に基づいてモータ回転駆動用の駆動パルスを選択し出力する駆動パルス選択回路１０４、駆動パルス選択回路１０４からの駆動パルスによって回転駆動されるステッピングモータ１０５、ステッピングモータ１０５によって回転駆動され時刻を表示するための時刻針（図１の例では時針１０７、分針１０８、秒針１０９の３種類）を有するアナログ表示部１０６、ステッピングモータ１０５の回転によって発生する誘起信号（誘起電圧信号）を検出し前記誘起信号が第１基準電圧値（第１基準値）を超えたか否かを判別する第１回転検出回路１１０、前記誘起信号が前記第１基準電圧値よりも低レベルの第２基準電圧値（第２基準値）を超えたか否かを判別する第２回転検出回路１１１を備えている。
【００１４】
尚、発振回路１０１、分周回路１０２及び制御回路１０３は計時手段を構成し、アナログ表示部１０６は時刻表示手段を構成している。第１回転検出回路１１０及び第２回転検出回路は検出手段を構成し、又、第１回転検出回路１１０は第１検出手段、第２回転検出回路は第２検出手段を各々構成している。制御回路１０３及び駆動パルス選択回路１０４は制御手段を構成している。また、発振回路１０１、分周回路１０２、制御回路１０３、駆動パルス選択回路１０４、第１回転検出回路１１０及び第２回転検出回路１１１はステッピングモータ駆動回路を構成している。
【００１５】
図２は、本発明の実施の形態に使用するステッピングモータ１０５の構成図で、アナログ電子時計で一般に用いられている時計用ステッピングモータの例を示している。
図２において、ステッピングモータ１０５は、ロータ収容用貫通孔２０３を有するステータ２０１、ロータ収容用貫通孔２０３に回転可能に配設されたロータ２０２、ステータ２０１と接合された磁心２０８、磁心２０８に巻回されたコイル２０９を備えている。ステッピングモータ１０５をアナログ電子時計に用いる場合には、ステータ２０１及び磁心２０８はネジ（図示せず）によって地板（図示せず）に固定され、互いに接合される。コイル２０９は、第１端子ＯＵＴ１、第２端子ＯＵＴ２を有している。
【００１６】
ロータ２０２は、２極（Ｓ極及びＮ極）に着磁されている。磁性材料によって形成されたステータ２０１の外端部には、ロータ収容用貫通孔２０３を挟んで対向する位置に複数（本実施の形態では２個）の切り欠き部（外ノッチ）２０６、２０７が設けられている。各外ノッチ２０６、２０７とロータ収容用貫通孔２０３間には可飽和部２１０、２１１が設けられている。
【００１７】
可飽和部２１０、２１１は、ロータ２０２の磁束によっては磁気飽和せず、コイル２０９が励磁されたときに磁気飽和して磁気抵抗が大きくなるように構成されている。ロータ収容用貫通孔２０３は、輪郭が円形の貫通孔の対向部分に複数（本実施の形態では２つ）の半月状の切り欠き部（内ノッチ）２０４、２０５を一体形成した円孔形状に構成されている。
【００１８】
切り欠き部２０４、２０５は、ロータ２０２の停止位置を決めるための位置決め部を構成している。コイル２０９が励磁されていない状態では、ロータ２０２は、図２に示すように前記位置決め部に対応する位置、換言すれば、ロータ２０２の磁極軸Ａが、切り欠き部２０４、２０５を結ぶ線分と直交するような位置に安定して停止している。
【００１９】
いま、駆動パルス選択回路１０４から矩形波の駆動パルスをコイル２０９の端子ＯＵＴ１、ＯＵＴ２間に供給して（例えば、第１端子ＯＵＴ１側を正極、第２端子ＯＵＴ２側を負極）、図２の矢印方向に電流ｉを流すと、ステータ２０１には破線矢印方向に磁束が発生する。これにより、可飽和部２１０、２１１が飽和して磁気抵抗が大きくなり、その後、ステータ２０１に生じた磁極とロータ２０２の磁極との相互作用によって、ロータ２０２は図２の矢印方向に１８０度回転し、安定的に停止する。
【００２０】
次に、駆動パルス選択回路１０４から、逆極性の矩形波の駆動パルスをコイル２０９の端子ＯＵＴ１、ＯＵＴ２に供給して（前記駆動とは逆極性となるように、第１端子ＯＵＴ１側を負極、第２端子ＯＵＴ２側を正極）、図２の反矢印方向に電流を流すと、ステータ２０１には反破線矢印方向に磁束が発生する。これにより、可飽和部２１０、２１１が先ず飽和し、その後、ステータ２０１に生じた磁極とロータ２０２の磁極との相互作用によって、ロータ２０２は前記と同一方向に１８０度回転し、安定的に停止する。
【００２１】
以後、このように、コイル２０９に対して極性の異なる信号（交番信号）を供給することによって、前記動作が繰り返し行われて、ロータ２０２を１８０度ずつ矢印方向に連続的に回転させることができるように構成されている。尚、本実施の形態では、駆動パルスとして、後述するように、相互にエネルギの異なる複数の主駆動パルスＰ１０〜Ｐ１ｎ及び補正駆動パルスＰ２を用いている。
【００２２】
図３は、本実施の形態において使用するランクＰ１０〜Ｐ１ｎ主駆動パルス中のランク１、ランク２の主駆動パルスＰ１１、Ｐ１２（エネルギはＰ１１＜Ｐ１２）によってステッピングモータ１０５を駆動した場合のタイミング図である。
図３において、Ｖｃｏｍｐ１、Ｖｃｏｍｐ２は各々第１基準電圧値（第１基準値）、前記第１基準電圧値よりも低レベルの第２基準電圧値（第２基準値）である。制御回路１０３は、ステッピングモータ１０５の回転によって生じる誘起電圧信号（誘起信号）Ｖｒｓが第２基準電圧値Ｖｃｏｍｐ２を超えている場合には回転したと判断する。
【００２３】
詳細は後述するが、駆動パルスによって駆動した後の所定の回転検出期間において、誘起電圧信号Ｖｒｓのピーク信号Ｖｍａｘが第１基準電圧値Ｖｃｏｍｐ１及び第２基準電圧値Ｖｃｏｍｐ２間で発生した場合には主駆動パルスＰ１をランクアップし、ピーク信号Ｖｍａｘが第１基準電圧値Ｖｃｏｍｐ１を超えた場合には主駆動パルスＰ１をランクダウンする。また、ピーク信号Ｖｍａｘが第２基準電圧値Ｖｃｏｍｐ２を超えない場合には補正駆動パルスＰ２によって駆動して強制的に回転させた後、主駆動パルスＰ１をランクアップする。
尚、図３においては、主駆動パルスＰ１２は主駆動パルスＰ１１よりも駆動エネルギが大きいため、誘起電圧信号のピーク信号Ｖｍａｘは主駆動パルスＰ１２の場合の方が早く発生している。
【００２４】
図４は、本発明の実施の形態に係るステッピングモータ駆動回路及びアナログ電子時計の動作を示すフローチャートであり、主として制御回路１０３の処理を示すフローチャートである。
図５は、本発明の実施の形態に係るアナログ電子時計の動作説明図であり、符号ａ〜ｃ、ｂ’を付した動作は、図４の符号ａ〜ｃ、ｂ’を付した動作に一致させている。
また、図６は、本発明の実施の形態に係るアナログ電子時計の動作を示すタイミング図である。
【００２５】
図４〜図６において、主駆動パルスＰ１はエネルギの大きさによって複数ランクｎに区分され（Ｐ１０〜Ｐ１ｎ）、ｎの値が大きいほどパルスのエネルギが大きく（本実施の形態では矩形波のパルス幅が長く）なるように構成されている。また、補正駆動パルスＰ２は最大のエネルギを持つ主駆動パルスＰ１ｎよりもエネルギが大きく（パルス幅が長く）構成されている。即ち、各駆動パルスＰ１０、Ｐ１１、Ｐ１２、・・・、Ｐ２は、各パルス幅がＰ１０＜Ｐ１１＜Ｐ１２＜・・・＜Ｐ２となるように構成されている。
【００２６】
以下、図１〜図６を参照して、本発明の実施の形態に係るステッピングモータ駆動回路及びアナログ電子時計の動作を詳細に説明する。
図１において、発振回路１０１は所定周波数の基準クロック信号を発生し、分周回路１０２は発振回路１０１で発生した前記信号を分周して計時の基準となる時計信号を発生し、制御回路１０３に出力する。
制御回路１０３は、前記時間信号を計数して計時動作を行い、先ず主駆動パルスＰ１ｎのランクｎを０にして、最低パルス幅の主駆動パルスＰ１０によってステッピングモータ１０５を回転駆動するように制御信号を出力する（図４のステップＳ４０１〜Ｓ４０３）。
【００２７】
駆動パルス選択回路１０４は、制御回路１０３からの制御信号に応答して、主駆動パルスＰ１０によってステッピングモータ１０５を回転駆動する。ステッピングモータ１０５は主駆動パルスＰ１０によって回転駆動されて、時刻針１０７〜１０９を回転駆動する。これにより、ステッピングモータ１０５が正常に回転した場合には、表示部１０６では、時刻針１０７〜１０９によって現在時刻が随時表示される。
【００２８】
第１回転検出回路１１０は、ステッピングモータ１０５の回転によって誘起される誘起電圧信号を検出し、制御回路１０３は、前記誘起電圧信号の最大電圧に相当する回転検出電圧Ｖｍａｘが第１基準電圧値Ｖｃｏｍｐ１を超えたと判断した場合（ステップＳ４０４）、主駆動パルスＰ１が最低パルス幅の主駆動パルスＰ１０のときには処理ステップＳ４０２に戻る（ステップＳ４０５）。この動作は、図５における無負荷領域での動作ａに対応し又、図６における通常動作（ａ）に対応している。
【００２９】
制御回路１０３は、主駆動パルスＰ１が主駆動パルスＰ１０でない場合には（ステップＳ４０５）、主駆動パルスＰ１のランクｎを１ランク下げて主駆動パルスＰ１（ｎ−１）とした後、ステップＳ４０２に戻る（Ｓ４０６）。
即ち、制御回路１０３は、第１回転検出回路１１０が第１基準電圧値Ｖｃｏｍｐ１を超える回転検出電圧Ｖｍａｘを検出した場合、主駆動パルスＰ１が最低パルス幅の主駆動パルスＰ１０でないときには、主駆動パルスＰ１のランクを下げるように制御する。このときの動作は、図５における動作ｃに対応し又、図６におけるパルスダウン動作（ｃ）に対応している。
【００３０】
このように、制御回路１０３は、第１回転検出回路１１０が第１基準電圧値Ｖｃｏｍｐ１を超える回転検出電圧Ｖｍａｘを検出した場合、主駆動パルスＰ１のエネルギが過大でありエネルギが浪費されていると判断して、主駆動パルスＰ１のランクを下げるように制御するため、省電力化が可能になる。
【００３１】
一方、制御回路１０３は、前記回転検出電圧Ｖｍａｘが第１基準電圧値Ｖｃｏｍｐ１を超えないと判断した場合（ステップＳ４０４）、第２回転検出回路１１１が第２基準電圧値Ｖｃｏｍｐ２を超える回転検出電圧Ｖｍａｘを検出したか否かを判断する（ステップＳ４０７）。
制御回路１０３は、第２回転検出回路の検出した回転検出電圧Ｖｍａｘが第２基準電圧値Ｖｃｏｍｐ２を超えたと判断した場合（ステップＳ４０７）、主駆動パルスＰ１のランクを１ランク上げて処理ステップＳ４０２に戻る（ステップＳ４０８）。前記動作は図５における動作ｂに対応し又、図６におけるパルスアップ動作（ｂ）に対応している。尚、このとき、複数ランクアップするように構成してもよい。
１ランクアップすることに比べて複数ランクアップすると、大きな負荷変動が加わっても補正駆動パルスを発生させる回数を減らすことができる。以下、同様である。
【００３２】
このように、制御回路１０３は、前記回転検出電圧Ｖｍａｘが第１基準電圧値Ｖｃｏｍｐ１と第２基準電圧値Ｖｃｏｍｐ２間に発生した場合には、駆動エネルギに余裕がなく、今後も同一エネルギの主駆動パルスＰ１によって駆動した場合に非回転となる可能性があると判断して、補正駆動パルスＰ２による駆動を行うことなく、早めに主駆動パルスＰ１のランクを上げるようにしているため、補正駆動パルスＰ２による駆動回数を少なくすることが可能になり、省電力化が可能になる。
【００３３】
制御回路１０３は、第２回転検出回路１１１の検出した前記回転検出電圧Ｖｍａｘが第２基準電圧値Ｖｃｏｍｐ２を超えていないと判断した場合（ステップＳ４０７）、ステッピングモータ５が回転しなかったと判断して、補正駆動パルスＰ２によってステッピングモータ１０５を駆動するように駆動パルス選択回路１０４を制御する（ステップＳ４０９）。駆動パルス選択回路１０４は前記制御信号に応答して、ステッピングモータ１０５を補正駆動パルスＰ２によって駆動して強制的に回転させる。
【００３４】
制御回路１０３は、処理ステップＳ４０９の後、主駆動パルスＰ１のランクを１ランクアップして処理ステップＳ４０２に戻る（ステップＳ４１０）。処理ステップＳ４０９、Ｓ４１０の動作は、図５における動作ｂ’に対応し又、図６におけるパルスアップ動作（ｂ’）に対応している。尚、このとき複数ランクアップするように構成してもよい。
【００３５】
以上述べたように、本実施の形態によれば、ステッピングモータ１０５を主駆動パルスＰ１によって回転駆動したとき、誘起信号の最大値である回転検出信号Ｖｍａｘのレベルが第１基準電圧Ｖｃｏｍｐ１と第２基準電圧Ｖｃｏｍｐ２間の場合は補正駆動パルスＰ２による駆動を行うことなく主駆動パルスＰ１をランクアップし、第１基準電圧Ｖｃｏｍｐ１を超えた場合は主駆動パルスＰ１をランクダウンし、第２基準電圧Ｖｃｏｍｐ２を超えない場合は非回転と判断して補正駆動パルスＰ２による駆動を行った後、主駆動パルスＰ１をランクアップするようにしている。
【００３６】
このように、回転検出電圧Ｖｍａｘが第１基準電圧値Ｖｃｏｍｐ１と第２基準電圧値Ｖｃｏｍｐ２間のレベルの場合、補正駆動パルスＰ２による駆動を行うことなく、主駆動パルスＰ１のランクを上げるようにしているため、補正駆動パルスＰ２による駆動回数を少なくすることが可能になり、省電力化が可能になる。
【００３７】
また、回転検出電圧Ｖｍａｘが第１基準電圧値Ｖｃｏｍｐ１を超える場合には、主駆動パルスＰ１のランクを下げるようにしているため、過剰な駆動エネルギを削減して省電力化が可能になる。
また、カレンダ負荷などによってロータ２０２の回転角速度が低下し、比例して誘起電圧も低下した余力ある回転状態においても、回転状態であると判別ができ、補正駆動パルスＰ２を出力することがない。
【００３８】
また、第１回転検出回路１１０、第２回転検出回路１１１によって、負荷に応じたロータ回転状態であると判別できるため、補正駆動パルスＰ２出力せずに主駆動パルスＰ１のランクアップ、補正駆動パルスＰ２を出力して主駆動パルスＰ１のランクアップの２通りの選択が可能となり、無駄な電力消費を抑制できる。
【００３９】
尚、本実施の形態では、各主駆動パルスＰ１のエネルギを変えるために、パルス幅を変えるようにしたが、パルス電圧を変える等によっても、駆動エネルギを変えることが可能である。
また、時刻針以外にも、カレンダ等を駆動するためのステッピングモータに適用可能である。
また、ステッピングモータの応用例として電子時計の例で説明したが、モータを使用する電子機器に適用可能である。
【産業上の利用可能性】
【００４０】
本発明に係るステッピングモータ駆動回路は、ステッピングモータを使用する各種電子機器に適用可能である。
また、本発明に係る電子時計は、カレンダ機能付きアナログ電子腕時計、カレンダ機能付きアナログ電子置時計等の各種カレンダ機能付きアナログ電子時計をはじめ、各種のアナログ電子時計に適用可能である。
【図面の簡単な説明】
【００４１】
【図１】本発明の実施の形態に係るアナログ電子時計のブロック図である。
【図２】本発明の実施の形態に係るアナログ電子時計に使用するステッピングモータの構成図である。
【図３】本発明の実施の形態に係るステッピングモータ駆動回路及びアナログ電子時計の動作を説明するためのタイミング図である。
【図４】本発明の実施の形態に係るステッピングモータ駆動回路及びアナログ電子時計の処理を示すフローチャートである。
【図５】本発明の実施の形態に係るステッピングモータ駆動回路及びアナログ電子時計の動作を示説明図である。
【図６】本発明の実施の形態に係るステッピングモータ駆動回路及びアナログ電子時計の動作を説明するためのタイミング図である。
【符号の説明】
【００４２】
１０１・・・発振回路
１０２・・・分周回路
１０３・・・制御回路
１０４・・・駆動パルス選択回路
１０５・・・ステッピングモータ
１０６・・・アナログ表示部
１０７・・・時針
１０８・・・分針
１０９・・・秒針
１１０・・・第１回転検出回路
１１１・・・第２回転検出回路
２０１・・・ステータ
２０２・・・ロータ
２０３・・・ロータ収容用貫通孔
２０４、２０５・・・切り欠き部（内ノッチ）
２０６、２０７・・・切り欠き部（外ノッチ）
２０８・・・磁心
２０９・・・コイル
２１０、２１１・・・可飽和部
ＯＵＴ１・・・第１端子
ＯＵＴ２・・・第２端子
【図１】
2008202998.tif 000003
【図２】
2008202998.tif 000004
【図３】
2008202998.tif 000005
【図４】
2008202998.tif 000006
【図５】
2008202998.tif 000007
【図６】
2008202998.tif 000008